(57)【要約】      （修正有）【課題】光の指向性と光の方向性とを制御することによって質感の表現力を向上させることが可能な表示装置、指向性・方向性制御方法、およびプログラムを提供する。【解決手段】映像信号と、映像信号が示す映像を表示画面に表示させた場合における映像の光の方向および光の指向性を規定する光線情報とに基づいて、映像信号が示す映像の光の方向と光の指向性とを制御する表示装置が提供される。【選択図】図９
2011059439.tif 000002
【特許請求の範囲】
【請求項１】
映像信号と、前記映像信号が示す映像を表示画面に表示させた場合における前記映像の光の方向および前記光の指向性を規定する光線情報とに基づいて、前記映像信号が示す映像の光の方向と光の指向性とを制御することを特徴とする、表示装置。
【請求項２】
入力された映像信号に基づいて映像を表示画面に表示する映像表示部と、
印加される電圧信号に応じて指向性または方向性が規定される少なくとも１以上の指向性・方向性制御素子を有し、前記指向性・方向性制御素子ごとに前記指向性・方向性制御素子が対応する画素から発せられる光の指向性、または、前記光の方向性を定める指向性・方向性規定部と、
前記映像信号と、前記光線情報として輝度値を得るための複数の副映像信号が入力され、前記指向性・方向性制御素子が対応する画素ごとの前記映像信号の第１輝度値と、前記第１輝度値と対応する、前記指向性・方向性制御素子が対応する画素ごとの前記副映像信号の第２輝度値とに基づいて、前記指向性・方向性制御素子が対応する前記画素ごとの光の方向と光の指向性とを検出する指向性・方向性検出部と、
前記指向性・方向性検出部における前記指向性・方向性制御素子が対応する前記画素ごとの検出結果に基づいて、前記指向性・方向性制御素子それぞれに前記検出結果に応じた前記電圧信号を印加する指向性・方向性制御部と、
を備えることを特徴とする、請求項１に記載の表示装置。
【請求項３】
前記指向性・方向性規定部は、前記指向性・方向性制御素子として、複数の電極を有する液晶レンズを備え、
前記指向性・方向性検出部は、前記第１輝度値と前記第２輝度値とに基づいて、前記指向性・方向性制御素子が光の方向と光の指向性とを制御するための前記電極それぞれに対応する検出信号を、前記検出結果として前記指向性・方向性制御部に伝達し、
前記指向性・方向性制御部は、前記検出信号に応じた前記電極それぞれに対応する電圧信号を、前記液晶レンズの電極それぞれに印加することを特徴とする、請求項２に記載の表示装置。
【請求項４】
前記指向性・方向性規定部は、画素それぞれに一対一に対応する複数の指向性・方向性制御素子を有することを特徴とする、請求項１〜３に記載の表示装置。
【請求項５】
前記指向性・方向性規定部は、複数の画素に対応する指向性・方向性制御素子を有することを特徴とする、請求項１〜３に記載の表示装置。
【請求項６】
入力された映像信号に基づいて映像を表示画面に表示する映像表示部と、印加される電圧信号に応じて指向性、または方向性が規定される少なくとも１以上の指向性・方向性制御素子を有し、前記指向性・方向性制御素子ごとに前記指向性・方向性制御素子が対応する画素から発せられる光の指向性、または、前記光の方向性を定める指向性・方向性規定部とを備える表示装置における指向性・方向性制御方法であって、
前記映像信号と、前記映像信号が示す映像を表示画面に表示させた場合における前記映像の光の方向および前記光の指向性を規定する光線情報として輝度値を得るための複数の副映像信号が入力され、前記指向性・方向性制御素子が対応する画素ごとの前記映像信号の第１輝度値と、前記第１輝度値と対応する、前記指向性・方向性制御素子が対応する画素ごとの前記副映像信号の第２輝度値とに基づいて、前記指向性・方向性制御素子が対応する画素ごとの光の方向と光の指向性とを検出するステップと、
前記検出するステップにおける検出結果に基づいて、前記指向性・方向性制御素子それぞれに前記検出結果に応じた前記電圧信号を印加するステップと、
を有することを特徴とする、指向性・方向性制御方法。
【請求項７】
入力された映像信号に基づいて映像を表示画面に表示する映像表示部と、印加される電圧信号に応じて指向性、または方向性が規定される少なくとも１以上の指向性・方向性制御素子を有し、前記指向性・方向性制御素子ごとに前記指向性・方向性制御素子が対応する画素から発せられる光の指向性、または、前記光の方向性を定める指向性・方向性規定部とを備える表示装置に用いることが可能なプログラムであって、
前記映像信号と、前記映像信号が示す映像を表示画面に表示させた場合における前記映像の光の方向および前記光の指向性を規定する光線情報として輝度値を得るための複数の副映像信号が入力され、前記指向性・方向性制御素子が対応する画素ごとの前記映像信号の第１輝度値と、前記第１輝度値と対応する、前記指向性・方向性制御素子が対応する画素ごとの前記副映像信号の第２輝度値とに基づいて、前記指向性・方向性制御素子が対応する画素ごとの光の方向と光の指向性とを検出するステップ、
前記検出するステップにおける検出結果に基づいて、前記指向性・方向性制御素子それぞれに前記検出結果に応じた前記電圧信号を印加するステップ、
をコンピュータに実行させるためのプログラム。
【発明の詳細な説明】
【技術分野】
【０００１】
本発明は、表示装置、指向性・方向性制御方法、およびプログラムに関する。
【背景技術】
【０００２】
近年、ＣＲＴディスプレイ（Cathode  Ray  Tube  display）に替わる表示装置として、有機ＥＬディスプレイ（organic  ElectroLuminescence  display。または、ＯＬＥＤディスプレイ（Organic  Light  Emitting  Diode  display）ともよばれる。）、ＦＥＤ（Field  Emission  Display。電界放出ディスプレイ）、ＬＣＤ（Liquid  Crystal  Display。液晶ディスプレイ）、ＰＤＰ（Plasma  Display  Panel。プラズマディスプレイ）など様々な表示装置が開発されている。
【０００３】
上記のような表示装置では、例えば視野角を広くするために、表示画面から発する光（表示される映像等に応じた光）が広く均一に広がるように発光させる。しかしながら、例えば、金属の光沢感や艶、石や岩などのざらざら感など、いわゆる質感とよばれるものを表現するためには、上記のような発光のさせ方では不十分であり、質感を十分に表現することは困難である。
【０００４】
このような中、質感を表現するための技術が開発されている。マイクロレンズアレイの中の１つのマイクロレンズ内に複数の画素を備え、原画像の１画素の光の方向性を制御することにより発光分布を変化させる技術としては、例えば、特許文献１が挙げられる。また、光の量、波長、偏光などのうちのいずれかを変化させることにより質感を表現する技術としては、例えば、特許文献２が挙げられる。
【０００５】
また、表示画面から発する光の指向性、または、方向性を制御する技術も開発されている。映像信号に基づいて光の指向性を制御することにより映像の臨場感や立体感を向上させる技術としては、例えば、特許文献３が挙げられる。また、流動体の移動を利用して光の方向性を制御する技術としては、例えば、特許文献４が挙げられる。
【先行技術文献】
【特許文献】
【０００６】
【特許文献１】特開２００９−３１６６号公報
【特許文献２】特開２００８−１１６８７８号公報
【特許文献３】特開２００９−７５４６１号公報
【特許文献４】特開２００３−２１５４７８号公報
【発明の概要】
【発明が解決しようとする課題】
【０００７】
マイクロレンズ内に複数の画素を備え原画像の１画素の光の方向性を制御することにより発光分布を変化させる従来の技術（以下、「従来の技術１」とよぶ場合がある。）は、光の方向性を制御することが可能であるので、表示画面に表示された映像（静止画像／動画像）の質感をある程度は向上させることができる可能性はある。しかしながら、従来の技術１は、複数の画素を１つとして扱うので、解像度の低下を招く恐れがある。よって、従来の技術１を用いたとしても、画質の低下が生じうることから質感の表現力を十分に向上できるとは限らない。
【０００８】
また、光の量、波長、偏光などのうちのいずれかを変化させることにより質感を表現する従来の技術（以下、「従来の技術２」とよぶ場合がある。）は、マイクロレンズの１つの中に複数の画素を備える方法、反射ミラーなどの可動素子を変化させ光の方向を変化させる方法、または、当該可動素子上に発光素子を備える方法などにより、光の方向性を制御する。よって、従来の技術２を用いる場合には、表示画面に表示された映像の質感をある程度は向上させることができる可能性はある。しかしながら、従来の技術２に係るマイクロレンズの１つの中に複数の画素を備える方法を用いる場合には、上記従来の技術１と同様に、解像度の低下を招く恐れがある。また、従来の技術２に係る反射ミラーなどの可動素子を変化させ光の方向を変化させる方法を用いる場合には、解像度の低下を招く恐れがあるだけでなく、さらに表示装置の小型化などに制限が設けられることとなる。よって、従来の技術２を用いたとしても、画質の低下が生じうることから質感の表現力を十分に向上できるとは限らない。
【０００９】
また、映像信号に基づいて光の指向性を制御することにより映像の臨場感や立体感を向上させる従来の技術（以下、「従来の技術３」とよぶ場合がある。）は、映像信号に基づいて可変焦点レンズなどの指向性制御素子を制御することにより光の指向性を制御する。よって、従来の技術３を用いる場合には、光の指向性を制御することができるので、映像の臨場感や立体感を向上させることができる。しかしながら、従来の技術３を用いる場合には、光の方向性を制御することはできないので、質感の表現力を十分に向上できるとは限らない。
【００１０】
また、流動体の移動を利用して光の方向性を制御する従来の技術（以下、「従来の技術４」とよぶ場合がある。）は、流動体を用いることによって光の方向性を制御する。よって、従来の技術４を用いる場合には、表示画面に表示された映像（静止画像／動画像）の質感をある程度は向上させることができる可能性はある。しかしながら、従来の技術４のように流動体を用いる場合には、光の指向性を制御することはできないので、質感の表現力を十分に向上できるとは限らない。
【００１１】
上記のように、従来の技術１〜従来の技術４（以下、総称して「従来の技術」とよぶ場合がある。）を用いたとしても、質感の表現力を十分に向上できるとは限らない。
【００１２】
本発明は、上記問題に鑑みてなされたものであり、本発明の目的とするところは、光の指向性と光の方向性とを制御することによって質感の表現力を向上させることが可能な、新規かつ改良された表示装置、指向性・方向性制御方法、およびプログラムを提供することにある。
【課題を解決するための手段】
【００１３】
上記目的を達成するために、本発明の第１の観点によれば、映像信号と、上記映像信号が示す映像を表示画面に表示させた場合における上記映像の光の方向および上記光の指向性を規定する光線情報とに基づいて、上記映像信号が示す映像の光の方向と光の指向性とを制御する表示装置が提供される。
【００１４】
かかる構成により、光の指向性と光の方向性とを制御することによって質感の表現力を向上させることができる
【００１５】
また、入力された映像信号に基づいて映像を表示画面に表示する映像表示部と、印加される電圧信号に応じて指向性または方向性が規定される少なくとも１以上の指向性・方向性制御素子を有し、上記指向性・方向性制御素子ごとに上記指向性・方向性制御素子が対応する画素から発せられる光の指向性、または、上記光の方向性を定める指向性・方向性規定部と、上記映像信号と、上記光線情報として輝度値を得るための複数の副映像信号が入力され、上記指向性・方向性制御素子が対応する画素ごとの上記映像信号の第１輝度値と、上記第１輝度値と対応する、上記指向性・方向性制御素子が対応する画素ごとの上記副映像信号の第２輝度値とに基づいて、上記指向性・方向性制御素子が対応する上記画素ごとの光の方向と光の指向性とを検出する指向性・方向性検出部と、上記指向性・方向性検出部における上記指向性・方向性制御素子が対応する上記画素ごとの検出結果に基づいて、上記指向性・方向性制御素子それぞれに上記検出結果に応じた上記電圧信号を印加する指向性・方向性制御部とを備えてもよい。
【００１６】
また、上記指向性・方向性規定部は、上記指向性・方向性制御素子として、複数の電極を有する液晶レンズを備え、上記指向性・方向性検出部は、上記第１輝度値と上記第２輝度値とに基づいて、上記指向性・方向性制御素子が光の方向と光の指向性とを制御するための上記電極それぞれに対応する検出信号を、上記検出結果として上記指向性・方向性制御部に伝達し、上記指向性・方向性制御部は、上記検出信号に応じた上記電極それぞれに対応する電圧信号を、上記液晶レンズの電極それぞれに印加してもよい。
【００１７】
また、上記指向性・方向性規定部は、画素それぞれに一対一に対応する複数の指向性・方向性制御素子を有してもよい。
【００１８】
また、上記指向性・方向性規定部は、複数の画素に対応する指向性・方向性制御素子を有してもよい。
【００１９】
また、上記目的を達成するために、本発明の第２の観点によれば、入力された映像信号に基づいて映像を表示画面に表示する映像表示部と、印加される電圧信号に応じて指向性、または方向性が規定される少なくとも１以上の指向性・方向性制御素子を有し、上記指向性・方向性制御素子ごとに上記指向性・方向性制御素子が対応する画素から発せられる光の指向性、または、上記光の方向性を定める指向性・方向性規定部とを備える表示装置における指向性・方向性制御方法であって、上記映像信号と、上記映像信号が示す映像を表示画面に表示させた場合における上記映像の光の方向および上記光の指向性を規定する光線情報として輝度値を得るための複数の副映像信号が入力され、上記指向性・方向性制御素子が対応する画素ごとの上記映像信号の第１輝度値と、上記第１輝度値と対応する、上記指向性・方向性制御素子が対応する画素ごとの上記副映像信号の第２輝度値とに基づいて、上記指向性・方向性制御素子が対応する画素ごとの光の方向と光の指向性とを検出するステップと、上記検出するステップにおける検出結果に基づいて、上記指向性・方向性制御素子それぞれに上記検出結果に応じた上記電圧信号を印加するステップと、を有する指向性・方向性制御方法が提供される。
【００２０】
かかる方法を用いることにより、光の指向性と光の方向性とを制御することによって質感の表現力を向上させることができる。
【００２１】
また、上記目的を達成するために、本発明の第３の観点によれば、入力された映像信号に基づいて映像を表示画面に表示する映像表示部と、印加される電圧信号に応じて指向性、または方向性が規定される少なくとも１以上の指向性・方向性制御素子を有し、上記指向性・方向性制御素子ごとに上記指向性・方向性制御素子が対応する画素から発せられる光の指向性、または、上記光の方向性を定める指向性・方向性規定部とを備える表示装置に用いることが可能なプログラムであって、上記映像信号と、上記映像信号が示す映像を表示画面に表示させた場合における上記映像の光の方向および上記光の指向性を規定する光線情報として輝度値を得るための複数の副映像信号が入力され、上記指向性・方向性制御素子が対応する画素ごとの上記映像信号の第１輝度値と、上記第１輝度値と対応する、上記指向性・方向性制御素子が対応する画素ごとの上記副映像信号の第２輝度値とに基づいて、上記指向性・方向性制御素子が対応する画素ごとの光の方向と光の指向性とを検出するステップ、上記検出するステップにおける検出結果に基づいて、上記指向性・方向性制御素子それぞれに上記検出結果に応じた上記電圧信号を印加するステップをコンピュータに実行させるためのプログラムが提供される。
【００２２】
かかるプログラムを用いることにより、光の指向性と光の方向性とを制御することによって質感の表現力を向上させることができる。
【発明の効果】
【００２３】
本発明によれば、光の指向性と光の方向性とを制御することによって質感の表現力を向上させることができる。
【図面の簡単な説明】
【００２４】
【図１】本発明の実施形態に係る表示装置における質感向上アプローチの概要を説明するための説明図である。
【図２】本発明の実施形態に係る表示装置が処理する映像信号と副映像信号との一例を示す説明図である。
【図３Ａ】本発明の実施形態に係る表示装置における指向性・方向性制御素子が対応する画素ごとの光の方向と光の指向性との検出方法の一例を示す説明図である。
【図３Ｂ】本発明の実施形態に係る表示装置における指向性・方向性制御素子が対応する画素ごとの光の方向と光の指向性との検出方法の一例を示す説明図である。
【図３Ｃ】本発明の実施形態に係る表示装置における指向性・方向性制御素子が対応する画素ごとの光の方向と光の指向性との検出方法の一例を示す説明図である。
【図３Ｄ】本発明の実施形態に係る表示装置における指向性・方向性制御素子が対応する画素ごとの光の方向と光の指向性との検出方法の一例を示す説明図である。
【図４】本発明の実施形態に係る指向性・方向性制御素子の一例を示している。
【図５Ａ】本発明の実施形態に係る表示装置が図４に示す液晶レンズの各電極に印加する電圧信号の一例を示す説明図である。
【図５Ｂ】本発明の実施形態に係る表示装置が図４に示す液晶レンズの各電極に印加する電圧信号の一例を示す説明図である。
【図５Ｃ】本発明の実施形態に係る表示装置が図４に示す液晶レンズの各電極に印加する電圧信号の一例を示す説明図である。
【図５Ｄ】本発明の実施形態に係る表示装置が図４に示す液晶レンズの各電極に印加する電圧信号の一例を示す説明図である。
【図６Ａ】図５Ａに示す電圧信号が図４に示す液晶レンズの各電極に印加された場合における、液晶レンズの屈折率の変化の一例を示す説明図である。
【図６Ｂ】図５Ｂに示す電圧信号が図４に示す液晶レンズの各電極に印加された場合における、液晶レンズの屈折率の変化の一例を示す説明図である。
【図６Ｃ】図５Ｃに示す電圧信号が図４に示す液晶レンズの各電極に印加された場合における、液晶レンズの屈折率の変化の一例を示す説明図である。
【図６Ｄ】図５Ｄに示す電圧信号が図４に示す液晶レンズの各電極に印加された場合における、液晶レンズの屈折率の変化の一例を示す説明図である。
【図７】本発明の実施形態に係る指向性・方向性制御素子の他の例を示す説明図である。
【図８】本発明の実施形態に係る指向性・方向性制御素子の他の例を示す説明図である。
【図９】本発明の実施形態に係る表示装置の構成の一例を示すブロック図である。
【発明を実施するための形態】
【００２５】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２６】
（本発明の実施形態に係る質感を向上させるためのアプローチ）
本発明の実施形態に係る表示装置（以下、「表示装置１００」とよぶ場合がある。）の構成について説明する前に、まず、本発明の実施形態に係る表示装置における質感を向上させるための質感向上アプローチについて説明する。
【００２７】
［質感向上アプローチの概要］
従来の技術を用いる表示装置（以下、「従来の表示装置」とよぶ場合がある。）は、上述したように、光の指向性または光の方向性のいずれか一方しか制御することができず、質感の表現力を十分に向上できるとは限らない。
【００２８】
そこで、本発明の実施形態に係る表示装置１００は、１画素単位あるいは複数画素単位で部分的に屈折率を変化させ、映像信号が示す映像（動画像または静止画像を示す。以下、同様とする。）を表示画面に表示させた場合において、表示画面から発する光に方向性、指向性をもたせることによって、質感を向上させる。
【００２９】
より具体的には、表示装置１００は、映像信号と、光線情報とに基づいて、映像信号が示す映像の原画像において指向性や方向性が強かったであろう部分を検出（または判別）する。そして、表示装置１００は、検出された映像信号が示す映像における指向性や方向性が強かったであろう部分に対して、表示素子からの光に指向性や方向性をもたせることによって、従来の技術のような解像度の低下などを招くことなく、質感を向上させる。
【００３０】
ここで、本発明の実施形態に係る光線情報とは、映像信号が示す映像を表示画面に表示させた場合における、映像の光の方向および光の指向性を規定する情報である。表示装置１００は、例えば、表示画面に表示させる映像に対応する映像信号とは別の、複数の副映像信号に基づいて、光線情報としての輝度値（光線情報の一例）を得ることができるが、上記に限られない。例えば、表示装置１００は、外部装置から入力された、光の方向および光の指向性を直接的に表す光線データ（例えば、指向性や方向性が数値で表現されたデータ）や、ユーザ操作に応じて表示装置１００が生成した光線データを、光線情報として用いることもできる。
【００３１】
図１は、本発明の実施形態に係る表示装置１００における質感向上アプローチの概要を説明するための説明図である。ここで、図１（ａ）は、表示素子からの光の指向性、光の方向性を制御しない状態の一例を示している。また、図１（ｂ）は、表示素子からの光の指向性を制御した状態の一例を示しており、図１（ｃ）は、表示素子からの光の方向性を制御した状態の一例を示している。なお、図１（ｂ）、図１（ｃ）は、本発明の実施形態に係る表示装置１００における光の指向性、光の方向性の制御の一例を示すものであり、表示装置１００における制御が図１（ｂ）、図１（ｃ）に限られないことは、言うまでもない。
【００３２】
図１（ａ）〜図１（ｃ）に示すように、表示装置１００は、表示素子の前面（表示素子における表示画面に表示された映像をみるユーザ側）に指向性・方向性制御素子を備える。表示装置１００では、指向性・方向性制御素子が、表示素子からの光に指向性、方向性をもたせることによって、質感の向上を図る。
【００３３】
ここで、本発明の実施形態に係る表示素子としては、例えば、ＬＣＤやＰＤＰなどのようなドットマトリクス型のものが挙げられるが、上記に限られない。例えば、表示装置１００は、例えばＣＲＴなど、ドットマトリクス型以外の表示素子を備えることもできる。なお、本発明の実施形態に係る表示装置１００が、光の放射傾向が広範囲に放射することが可能な型の表示素子を備える場合には、より質感を向上させることが可能となる。
【００３４】
また、本発明の実施形態に係る指向性・方向性制御素子としては、例えば、液晶レンズなどの可変焦点レンズが挙げられる。ここで、表示装置１００は、表示素子の画素それぞれに一対一に対応する複数の指向性・方向性制御素子を有することができるが、上記に限られない。例えば、表示装置１００は、表示素子の複数の画素に対応する指向性・方向性制御素子（すなわち、指向性・方向性制御素子は、数画素単位の大きさとなる。）を有することもできる。本発明の実施形態に係る指向性・方向性制御素子の例については、後述する。
【００３５】
表示装置１００は、検出された映像信号が示す映像における指向性や方向性が強かったであろう部分に対して、図１に示すように指向性・方向性制御素子により映像信号が示す映像の光の方向と光の指向性とを制御する。
【００３６】
ここで、表示装置１００は、検出された映像信号が示す映像における指向性や方向性が強かったであろう部分に対して、映像信号に対する画像処理によって質感を向上させるのではなく、指向性・方向性制御素子により映像信号が示す映像の光の方向と光の指向性とを制御することによって質感を向上させる。つまり、表示装置１００が表示画面に表示させた映像をみるユーザは、映像をみる角度に応じて質感が異なる映像をみることが可能となる。よって、表示装置１００は、指向性・方向性制御素子による光の方向と光の指向性とを制御によって、映像信号が示す映像の原画像が有する実際の質感により近づけた映像を、ユーザに提供することが可能となる。
【００３７】
したがって、表示装置１００は、本発明の実施形態に係る質感向上アプローチを用いることにより、光の指向性と光の方向性とを制御することによって質感の表現力を向上させることができる。
【００３８】
［質感向上アプローチに係る処理の一例］
次に、上記質感向上アプローチを実現するための、表示装置１００における処理の一例について説明する。表示装置１００は、例えば（１）の処理、（２）の処理によって、上記質感向上アプローチを実現する。ここで、以下に示す質感向上アプローチを実現するための処理は、本発明の実施形態に係る指向性・方向性制御方法の一例と捉えることができる。
【００３９】
以下では、映像信号と副映像信号とが表示装置１００に入力され、表示装置１００が、映像信号の第１輝度値と、副映像信号から得た光線情報としての第２輝度値とに基づいて、映像信号が示す映像を表示画面に表示させた場合における光の指向性と光の方向性とを制御する場合を主に例に挙げて説明する。なお、上述したように、本発明の実施形態に係る表示装置は、光の方向および光の指向性を直接的に表す光線データに基づいて、映像信号が示す映像を表示画面に表示させた場合における光の指向性と光の方向性とを制御することもできる。また、以下では、表示装置１００の制御対象である、「映像信号が示す映像を表示画面に表示させた場合における光の指向性」、「映像信号が示す映像を表示画面に表示させた場合における光の方向性」を、単に「指向性」（あるいは「光の指向性」）、「方向性」（あるいは「光の方向性」）とよぶ場合がある。
【００４０】
また、以下では、表示装置１００が、映像信号および副映像信号それぞれを、指向性・方向性制御素子が対応する画素ごとに処理し、当該指向性・方向性制御素子が対応する画素ごとの光の指向性と光の方向性とを制御する場合を例に挙げて説明する。
【００４１】
（１）指向性・方向性の検出処理
表示装置１００は、映像信号の第１輝度値と、第１輝度値と対応する副映像信号の第２輝度値とに基づいて、指向性・方向性制御素子が対応する画素ごとの光の方向と光の指向性とを検出する。
【００４２】
図２は、本発明の実施形態に係る表示装置１００が処理する映像信号と副映像信号との一例を示す説明図である。表示装置１００には、例えば図２に示すように、同一の物体Ｏを複数の撮像装置（図２に示す撮像装置１０、撮像装置２０Ａ〜２０Ｈ）それぞれが撮像することにより得られた映像信号が入力される。そして、表示装置１００は、撮像装置１０が撮像により得た映像信号を、表示画面に表示させる本発明の実施形態に係る映像信号として処理し、また、撮像装置２０Ａ〜２０Ｈそれぞれが撮像により得た映像信号を、本発明の実施形態に係る副映像信号として処理する。
【００４３】
ここで、図２では、物体Ｏが、映像信号を出力する１つの撮像装置１０と副映像信号を出力する８つの撮像装置２０Ａ〜２０Ｈとにより撮像され、その結果、表示装置１００が、１つの映像信号と８つの副映像信号とを処理する例を示しているが、上記に限られない。例えば、表示装置１００には、１つの映像信号と、８つに限られない複数の副映像信号とが入力され、表示装置１００は、当該映像信号と当該複数の副映像信号とを処理することもできる。以下では、表示装置１００が、１つの映像信号と８つの副映像信号とを処理する場合を主に例に挙げて説明する。
【００４４】
図２に示すように、同一の物体Ｏを複数の撮像装置で撮像した場合、物体Ｏからでる光（例えば、放射光や、反射光、照明光など）の方向性、指向性に有無に応じて、各撮像装置から出力される映像信号が示す輝度値に変化が生じる。本発明の実施形態では、上記に着目し、表示装置１００は、指向性・方向性制御素子が対応する画素ごとの映像信号の第１輝度値と、第１輝度値と対応する副映像信号の第２輝度値とに基づいて、指向性・方向性制御素子が対応する画素ごとの光の方向と光の指向性とを検出する。
【００４５】
図３Ａ〜図３Ｄは、本発明の実施形態に係る表示装置１００における指向性・方向性制御素子が対応する画素ごとの光の方向と光の指向性との検出方法の一例を示す説明図である。
【００４６】
ここで、図３Ａ〜図３Ｄは、表示装置１００が備えるある指向性・方向性制御素子に対応する映像信号と副映像信号とから検出される輝度値の大きさを濃淡で表している（図３Ａ〜図３Ｄでは、輝度値が小さいほど色を濃く表している。）。
【００４７】
また、図３Ａに示すＳ１は、映像信号に対応する第１輝度値を示しており、図３Ａに示すＳ２Ａ〜Ｓ２Ｈそれぞれは、副映像信号に対応する第２輝度値を示している。ここで、図３Ａに示すＳ１は、例えば、図２に示す撮像装置１０から出力される映像信号の輝度値に対応する。また、図３Ａに示すＳ２Ａは、図２に示す撮像装置２０Ａから出力される映像信号の輝度値に対応し、同様に、図３Ａに示すＳ２Ｂ〜Ｓ２Ｈそれぞれは、図２に示す撮像装置２０Ｂ〜２０Ｈから出力される映像信号の輝度値にそれぞれ対応する。なお、図３Ｂ〜図３Ｄでは、図３Ａに示すＳ１およびＳ２Ａ〜Ｓ２Ｈを示していないが、図３Ｂ〜図３Ｄは、図３Ａと同様に映像信号と副映像信号と輝度値を表している。
【００４８】
図３Ａは、指向性と方向性とを共に有しない場合における第１輝度値と第２輝度値との一例を示している。図３Ａに示すように、光の指向性と光の方向性とを共に有しない場合には、第１輝度値と第２輝度値とが、同一の輝度値（または、第１輝度値と第２輝度値との輝度差が所定の範囲内）を示す。
【００４９】
図３Ｂは、指向性を有し、方向性を有さない場合における第１輝度値と第２輝度値との一例を示しており、図３Ｃは、方向性を有し、指向性を有さない場合における第１輝度値と第２輝度値との一例を示している。また、図３Ｄは、指向性と方向性とを共に有する場合における第１輝度値と第２輝度値との一例を示している。
【００５０】
図３Ａ〜図３Ｄに示すように、指向性、方向性の有無に応じて輝度値が変化する。よって、表示装置１００は、指向性・方向性制御素子が対応する画素ごとの第１輝度値、第２輝度値に基づいて、指向性・方向性制御素子が対応する画素ごとの光の方向と光の指向性とを検出することができる。なお、本発明の実施形態に係る指向性、方向性の有無に応じた輝度値の変化が、図３Ｂ〜図３Ｄに示す例に限られないことは、言うまでもない。
【００５１】
表示装置１００は、第１輝度値と第２輝度値とから得られる、例えば図３Ａ〜図３Ｄに示す輝度分布に基づいて、指向性、方向性の有無を検出（判別）し、第１輝度値および第２輝度値に応じた検出信号を、検出結果として出力する。
【００５２】
ここで、表示装置１００は、例えば、図３Ａ〜図３Ｄに示すような輝度分布のパターンを記憶し、記憶された輝度分布のパターンと、第１輝度値および第２輝度値とから得られる輝度分布のパターンとのマッチングにより、指向性、方向性の有無を検出（判別）することができるが、上記に限られない。例えば、表示装置１００は、指向性、方向性を共に有さないか（例えば図３Ａの場合）、または、指向性および／または方向性を有するか（例えば図３Ｂ〜図３Ｄ）を第１輝度値および第２輝度値とから得られる輝度分布に基づいて判別し、指向性および／または方向性を有すると判定された場合には、第２輝度値の値に応じた検出信号を出力することもできる。
【００５３】
また、本発明の実施形態に係る検出信号は、指向性・方向性制御素子が光の方向と光の指向性とを制御するための信号である。表示装置１００は、表示装置１００が備える指向性・方向性制御素子それぞれに対して、指向性・方向性制御素子が備える複数の電極（後述する）それぞれに対応する検出信号を、検出結果として出力する。また、表示装置１００は、第１輝度値、第２輝度値に応じた値を有する検出信号を出力する。
【００５４】
ここで、表示装置１００は、後述する（２）の処理（指向性・方向性制御処理）において、検出信号に応じた電圧信号を指向性・方向性制御素子が備える複数の電極それぞれに印加することによって、指向性・方向性制御素子ごとに光の指向性と光の方向性とを制御する。よって、表示装置１００は、第１輝度値と第２輝度値とに基づく検出信号を出力することによって、撮像された物体Ｏ（映像信号が示す映像の原画像の一例）の放射光や反射光を再現することが可能となるので、撮像された物体Ｏが有する実際の質感により近づけた映像を、ユーザに提供することができる。なお、表示装置１００が指向性・方向性制御素子が備える複数の電極それぞれに印加する、本発明の実施形態に係る検出信号に応じた電圧信号の具体例については、後述する。
【００５５】
（２）指向性・方向性制御処理
表示装置１００は、上記（１）の処理（指向性・方向性の検出処理）の検出結果に基づいて、表示装置１００が備える指向性・方向性制御素子ごとに指向性、方向性を制御する。より具体的には、表示装置１００は、上記（１）の処理の検出結果としての検出信号に応じた電圧信号を、指向性・方向性制御素子が有する電極に印加することによって、指向性・方向性制御素子ごとに指向性、方向性を制御する。
【００５６】
図４は、本発明の実施形態に係る指向性・方向性制御素子の一例を示している。ここで、図４は、本発明の実施形態に係る指向性・方向性制御素子が、入力される副映像信号の数と対応する数の電極を有する液晶レンズで構成される例を示している。また、図４に示すＰは、液晶レンズにおける水平方向の中心位置を示している。
【００５７】
表示装置１００は、図４に示す液晶レンズの電極１〜電極８（例えば、スリットにより１つの電極が８分割された電極や、８つの異なる電極。）に対して、検出信号に応じた電圧信号を印加することによって、指向性と方向性とを制御する。より具体的には、表示装置１００は、図４に示す電極と、図示していない共通電極との間に印加された電圧によって、その電位差に応じた電界が生じ、部分的に液晶の配向を変化させて屈折率を制御することによって、指向性と方向性とを制御する。
【００５８】
ここで、本発明の実施形態に係る検出信号に応じた電圧信号としては、例えば、増幅器により検出信号を所定の倍率で増幅した電圧信号が挙げられるが、上記に限られない。例えば、表示装置１００は、検出信号の値と電圧信号の電圧値とが対応付けられたルックアップテーブル（Look  Up  Table）を用いることによって、検出信号に応じた電圧信号を、液晶レンズの電極１〜電極８に対してそれぞれ印加することもできる。
【００５９】
〔指向性・方向性制御の一例〕
図５Ａ〜図５Ｄそれぞれは、本発明の実施形態に係る表示装置１００が図４に示す液晶レンズの各電極に印加する電圧信号の一例を示す説明図である。ここで、図５Ａは、表示装置１００が、上記（１）の処理において図３Ａに示す輝度分布を検出した場合の電圧信号の一例を示している。また、図５Ｂ〜図５Ｄは、表示装置１００が、上記（１）の処理において図３Ｂ〜図３Ｄに示す輝度分布を検出した場合の電圧信号の一例をそれぞれ示している。また、図５Ａ〜図５Ｄに示す各電極に対応する数値は、電圧値［Ｖ］を示している。
【００６０】
また、図６Ａ〜図６Ｄそれぞれは、図５Ａ〜図５Ｄに示す電圧信号が図４に示す液晶レンズの各電極に印加された場合における、液晶レンズの屈折率の変化の一例を示す説明図である。ここで、図６Ａは、図５Ａに示す電圧信号に応じて制御される液晶レンズの屈折率の一例を示している。また、図６Ｂ〜図６Ｄは、図５Ｂ〜図５Ｄに示す電圧信号に応じて制御される液晶レンズの屈折率の一例をそれぞれ示している。また、図６Ａ〜図６Ｄに示すＰは、図４に示す液晶レンズにおける中心位置に対応する位置を示している。
【００６１】
上記（１）の処理において、図３Ａに示すように指向性と方向性とを共に有しない場合における検出信号が出力されたときには、表示装置１００は、図５Ａに示すように、各電極に０［Ｖ］の電圧信号を印加する（電圧信号を印加しない。）。よって、上記の場合には、図６Ａに示すように液晶レンズの屈折率は変化せず、指向性・方向性制御素子からでる光は、特段の指向性、方向性を有さないものとなる。
【００６２】
また、上記（１）の処理において、図３Ｂに示すように指向性を有し、方向性を有さない場合における検出信号が出力されたときには、表示装置１００は、図５Ｂに示すように、各電極に５０［Ｖ］の電圧信号を印加する。よって、上記の場合には、図６Ｂに示すように液晶レンズの中心付近の屈折率が変化して液晶レンズの中心付近に光が集まることから、指向性・方向性制御素子からでる光は、指向性を有するものとなる。
【００６３】
また、上記（１）の処理において、図３Ｃに示すように方向性を有し、指向性を有さない場合における検出信号が出力されたときには、表示装置１００は、図５Ｃに示すように、各電極に０［Ｖ］、２５［Ｖ］、または５０［Ｖ］の電圧信号を印加する。また、上記（１）の処理において、図３Ｄに示すように指向性と方向性とを共に有する場合における検出信号が出力されたときには、表示装置１００は、図５Ｄに示すように、各電極に０［Ｖ］、２５［Ｖ］、または５０［Ｖ］の電圧信号を印加する。よって、上記の場合には、図６Ｃ、図６Ｄに示すように液晶レンズの中心からずれた部分の屈折率が最も変化して、当該部分付近に光が集まり、指向性・方向性制御素子からでる光は、方向性、または、指向性および方向性を有するものとなる。
【００６４】
表示装置１００は、例えば、検出信号に応じて図５Ａ〜図５Ｄに示すような電圧信号を印加することによって、図６Ａ〜図６Ｄに示すように液晶レンズの屈折率を変化させる。したがって、表示装置１００は、映像信号の第１輝度値と、副映像信号の第２輝度値（光線情報の一例）とに基づく検出信号に基づいて、指向性・方向性制御素子が対応する画素ごとに指向性、方向性を制御することができる。
【００６５】
なお、本発明の実施形態に係る指向性・方向性制御素子の構成は、図４に示す構成に限られない。図７、図８は、本発明の実施形態に係る指向性・方向性制御素子の他の例を示す説明図である。図７、図８に示すように、本発明の実施形態に係る表示装置１００は、電極の数が２つや４つの液晶レンズ（複数の電極を有する液晶レンズの一例）を、指向性・方向性制御素子として備えることもできる。上記の構成を有する液晶レンズを、指向性・方向性制御素子として備える構成であっても、表示装置１００は、指向性、方向性を制御することが可能である。
【００６６】
また、上記では、表示装置１００が、入力される副映像信号の数と対応する数の電極を有する液晶レンズで構成される例を示したが、上記に限られない。例えば、図３Ａ〜図３Ｄに示すように８つの副映像信号が入力される場合であっても、本発明の実施形態に係る表示装置１００は、上記（１）の処理において、指向性・方向性制御素子が備える電極の数に応じた数の検出信号（映像信号の第１輝度値と副映像信号の第２輝度値とに基づく検出信号）を出力することによって、指向性・方向性制御素子が対応する画素ごとに指向性、方向性を制御することができる。
【００６７】
ここで、表示装置１００は、例えば、複数の副映像信号を電極の数に応じたグループに分け、グループごとに第２輝度値の平均値を算出して算出された第２輝度値の平均値に応じた検出信号を出力することによって、指向性・方向性制御素子が備える電極の数に応じた数の検出信号を出力することができる。なお、本発明の実施形態に係る指向性・方向性制御素子が備える電極の数に応じた数の検出信号を出力する方法は、上記グループごとの第２輝度値の平均値に応じた検出信号を出力することに限られない。例えば、表示装置１００は、グループごとの第２輝度値の加算値や、グループごとの第２輝度値の最大値に基づく検出信号を出力することによって、指向性・方向性制御素子が備える電極の数に応じた数の検出信号を出力することもできる。
【００６８】
表示装置１００は、上記（１）の処理（指向性・方向性の検出処理）、および上記（２）の処理（指向性・方向性制御処理）を行うことによって、映像信号が示す映像における指向性や方向性が強かったであろう部分に対して、指向性・方向性制御素子により映像信号が示す映像の光の方向と光の指向性とを制御することができる。したがって、表示装置１００は、上記（１）の処理、および上記（２）の処理を行うことによって、上記質感向上アプローチを実現することができるので、光の指向性と光の方向性とを制御することによって質感の表現力を向上させることができる。
【００６９】
（本発明の実施形態に係る表示装置１００の構成例）
次に、上述した本発明の実施形態に係る質感向上アプローチに係る処理を実現可能な、表示装置１００の構成例について説明する。図９は、本発明の実施形態に係る表示装置１００の構成の一例を示すブロック図である。
【００７０】
ここで、図９では一の映像信号を示しているが、本発明の実施形態はかかる構成に限られず、例えば、入力される映像信号がＲ、Ｇ、Ｂ各色ごとに独立の信号であってもよい。また、図９では、便宜上一の副映像信号を示しているが、以下では、表示装置１００が、図３Ａ〜図３Ｄに示すように８つの副映像信号を処理する場合を例に挙げて説明する。
【００７１】
また、以下では、本発明の実施形態に係る表示装置として、ＯＬＥＤディスプレイやＬＣＤ、ＰＤＰなどのドットマトリクス型の表示装置を例に挙げて説明するが、本発明の実施形態はかかる構成に限られず、例えば、ＣＲＴディスプレイに適用することもできる。
【００７２】
また、表示装置１００は、例えば、図２に示すような複数の撮像装置から出力された映像信号を、本発明の実施形態に係る映像信号、副映像信号として処理することができるが、上記に限られない。例えば、表示装置１００は、図２に示すような複数の撮像装置から出力された映像信号に対応する映像がそれぞれ記録された、複数の映像ファイルや、複数の当該映像が１つの映像ファイルに記録された映像ファイルを記憶部（後述する）に記憶し、記憶された映像ファイルに基づく映像信号を、本発明の実施形態に係る映像信号、副映像信号として処理することができる。また、表示装置１００は、例えば、放送局から送信され表示装置１００が受信した映像信号や、ＬＡＮ（Local  Area  Network）などのネットワークを介して外部装置から送信され表示装置１００が受信した映像信号を、本発明の実施形態に係る映像信号、副映像信号として処理することができる。
【００７３】
また、以下では、表示装置１００に入力される映像信号、副映像信号が、例えば、デジタル放送などで用いられるデジタル信号であるとして説明するが、上記に限られず、例えば、アナログ放送などで用いられるアナログ信号とすることもできる。
【００７４】
なお、図９では、表示装置１００が、副映像信号の第２輝度値（光線情報の一例）を用いて質感向上アプローチに係る（１）の処理を行う場合について主に説明するが、上記に限られない。例えば、本発明の実施形態に係る表示装置１００は、外部装置から入力された光の方向および光の指向性を直接的に表す光線データや、ユーザ操作に応じて表示装置１００が生成した光線データを光線情報として用いて、質感向上アプローチに係る（１）の処理を行うこともできる。
【００７５】
図９を参照すると、表示装置１００は、映像表示部１０２と、指向性・方向性規定部１０４と、指向性・方向性検出部１０６と、指向性・方向性制御部１０８とを備える。
【００７６】
また、表示装置１００は、例えば、制御部（図示せず）や、制御部（図示せず）が使用するプログラムや演算パラメータなどの制御用データが記録されたＲＯＭ（Read  Only  Memory。図示せず）、制御部（図示せず）により実行されるプログラムなどを一次記憶するＲＡＭ（Random  Access  Memory。図示せず）、放送局などから送信される映像信号を受信する受信部（図示せず）、映像ファイルや画像ファイルなどを記憶可能な記憶部（図示せず）、ユーザが操作可能な操作部（図示せず）、外部装置と通信を行うための通信部（図示せず）などを備えてもよい。表示装置１００は、例えば、データの伝送路としてのバス（bus）により上記各構成要素間を接続する。
【００７７】
ここで、制御部（図示せず）は、例えば、ＭＰＵ（Micro  Processing  Unit）や各種処理回路などで構成され表示装置１００全体を制御する。また、制御部（図示せず）は、指向性・方向性検出部１０６、および指向性・方向性制御部１０８を備え、質感向上アプローチに係る処理を主導的に行う役目を果たすこともできる。
【００７８】
また、記憶部（図示せず）としては、例えば、ハードディスク（Hard  Disk）などの磁気記録媒体や、ＥＥＰＲＯＭ（Electronically  Erasable  and  Programmable  Read  Only  Memory）、フラッシュメモリ（flash  memory）、ＭＲＡＭ（Magnetoresistive  Random  Access  Memory）、ＦｅＲＡＭ（Ferroelectric  Random  Access  Memory）、ＰＲＡＭ(Phase  change  Random  Access  Memory)などの不揮発性メモリ（nonvolatile  memory）、あるいは、ＤＶＤディスクなどの光ディスクを再生可能な光ディスクドライブなどが挙げられるが、上記に限られない。
【００７９】
また、操作部（図示せず）としては、例えば、キーボード（keyboard）やマウス（mouse）などの操作入力デバイスや、ボタン、方向キー、あるいは、これらの組み合わせなどが挙げられるが、上記に限られない。例えば、操作部（図示せず）は、リモート・コントローラ（remote  controller）などの外部装置からの入力を受信する機能を有していてもよい。また、表示装置１００と外部装置とは、例えば、ＵＳＢ（Universal  Serial  Bus）端子やＩＥＥＥ１３９４規格の端子などを介して物理的に接続されてもよいし、また、ＷＵＳＢ（Wireless  Universal  Serial  Bus）やＩＥＥＥ８０２．１１などを利用して無線で接続することもできる。さらに、表示装置１００と外部装置とは、例えば、ネットワークを介して接続することもできる。ネットワークとしては、例えば、ＬＡＮやＷＡＮ（Wide  Area  Network）など有線ネットワーク、ＭＩＭＯ（Multiple-Input  Multiple-Output）を用いたＷＬＡＮ（Wireless  Local  Area  Network）などの無線ネットワーク、あるいは、ＴＣＰ／ＩＰ（Transmission  Control  Protocol/Internet  Protocol）などの通信プロトコルを用いたインターネットなどが挙げられるが、上記に限られない。したがって、通信部（図示せず）は、外部装置との接続形態に応じたインタフェースを有する。
【００８０】
映像表示部１０２は、入力された映像信号（より具体的には、指向性・方向性検出部１０６から伝達される映像信号）に基づいて、当該映像信号が示す映像（動画像／静止画像）を表示する。
【００８１】
[映像表示部１０２の構成例]
映像表示部１０２は、表示部１２０と、行駆動部１２２と、列駆動部１２４と、電源供給部１２６と、表示制御部１２８とを備える。
【００８２】
表示部１２０は、マトリクス状（行列状）に配置された複数の画素を備える。例えば、ＳＤ（Standard  Definition）解像度の映像を表示する表示部は、少なくとも６４０×４８０＝３０７２００（データ線×走査線）の画素を有し、カラー表示のために当該画素が赤（Red）、緑（Green）、青（Blue）のサブピクセル（sub  pixel）からなる場合には、６４０×４８０×３＝９２１６００（データ線×走査線×サブピクセルの数）のサブピクセルを有する。同様に、例えば、ＨＤ（High  Definition）解像度の映像を表示する表示部は、１９２０×１０８０の画素を有し、カラー表示の場合には、１９２０×１０８０×３のサブピクセルを有する。
【００８３】
また、表示部１２０は、例えば、画素ごとに印加する電圧量／電流量を制御するための画素回路（図示せず）を備えていてもよい。画素回路は、例えば、印加される走査信号および電圧信号により電流量を制御するためのスイッチ素子およびドライブ素子と、電圧信号を保持するためのキャパシタで構成される。上記スイッチ素子および上記ドライブ素子は、例えば、薄膜トランジスタ（Thin  Film  Transistor）で構成される。
【００８４】
行駆動部１２２、および列駆動部１２４は、例えば、表示部１２０が有する複数の画素に電圧信号を印加して各画素を発光させる。ここで、行駆動部１２２、および列駆動部１２４は、一方が画素のＯＮ／ＯＦＦを決定する電圧信号（走査信号）を印加し、他方が表示させる映像に応じた電圧信号（映像信号）を印加する役割を果たすことができる。
【００８５】
また、行駆動部１２２、および列駆動部１２４の駆動方式としては、例えば、上記行列状に配置された画素ごとに発光させる点順次駆動走査方式、上記行列状に配置された画素を一列ごとに発光させる線順次駆動走査方式、そして、上記行列状に配置された全ての画素を発光させる面順次駆動走査方式などが挙げられる。なお、図９に示す表示装置１００の映像表示部１０２は、行駆動部１２２と列駆動部１２４との２つの駆動部を備えているが、本発明の実施形態に係る表示装置が１つの駆動部で構成できることは、言うまでもない。
【００８６】
電源供給部１２６は、行駆動部１２２および列駆動部１２４に電源を供給し、行駆動部１２２および列駆動部１２４には電圧が印加される。また、電源供給部１２６が、行駆動部１２２および列駆動部１２４に印加する電圧の大きさは、入力された映像信号に応じて可変する。
【００８７】
表示制御部１２８は、例えば、ＭＰＵや各種処理回路などで構成され、入力された映像信号に応じて、行駆動部１２２および列駆動部１２４の一方に画素のＯＮ／ＯＦＦを決定する電圧を画素に印加するための制御信号を入力し、また、他方に映像信号を入力する。また、表示制御部１２８は、入力された映像信号に応じて、電源供給部１２６による行駆動部１２２および列駆動部１２４への電源の供給を制御することもできる。
【００８８】
映像表示部１０２は、例えば、図９に示す構成により、入力された映像信号に応じた映像を表示する。なお、本発明に実施形態に係る表示装置１００が備える映像表示部１０２の構成が、図９に示す構成に限られないことは、言うまでもない。
【００８９】
指向性・方向性規定部１０４は、例えば、印加される電圧信号に応じて通過する光の指向性、方向性を定める指向性・方向性制御素子を少なくとも１以上備える。ここで、指向性・方向性規定部１０４が備える指向性・方向性制御素子としては、例えば、図４に示す液晶レンズが挙げられるが、上記に限られない。
【００９０】
指向性・方向性規定部１０４は、指向性・方向性制御部１０８から指向性・方向性制御素子ごと、かつ指向性・方向性制御素子が備える電極ごとに伝達される電圧信号に応じて屈折率を変化させることによって、指向性、方向性を規定する。
【００９１】
なお、図９では、映像表示部１０２と指向性・方向性規定部１０４とを水平方向に分けて示しているが、これは説明の便宜上のためである。本発明の実施形態に係る表示装置１００は、映像表示部１０２の表示部１２０の前面、すなわち、映像に応じた光が発せられる表示画面上に、指向性・方向性規定部１０４を備える。また、表示装置１００では、“映像表示部１０２と指向性・方向性規定部１０４とが、表示画面を構成する”と捉えることもできる。
【００９２】
指向性・方向性検出部１０６は、上記（１）の処理（指向性・方向性の検出処理）を行う役目を果たす。より具体的には、指向性・方向性検出部１０６は、映像信号の第１輝度値と副映像信号の第２輝度値に基づいて、指向性、方向性の有無を指向性・方向性規定部１０４が備える指向性・方向性素子が対応する画素ごとに検出（判別）し、第１輝度値および第２輝度値に応じた検出信号を指向性・方向性制御部１０８へ伝達する。
【００９３】
また、指向性・方向性検出部１０６は、例えば、受信部（図示せず）が受信した光線データや、操作部（図示せず）を用いたユーザ操作に応じて制御部（図示せず）が生成した光線データなどの光線情報に基づいて、当該光線情報に応じた検出信号を指向性・方向性制御部１０８へ伝達することもできる。
【００９４】
ここで、指向性・方向性検出部１０６は、例えば、上記（１）の処理を行うための専用の処理回路で構成することができるが、上記に限られない。例えば、表示装置１００は、制御部（図示せず）が指向性・方向性検出部１０６の役目を果たすこともできる。
【００９５】
指向性・方向性制御部１０８は、上記（２）の処理（指向性・方向性制御処理）を行う役目を果たす。より具体的には、指向性・方向性制御部１０８は、指向性・方向性検出部１０６から伝達される検出信号に応じた電圧信号を、指向性・方向性規定部１０４が備える指向性・方向性制御素子が有する電極に印加することによって、指向性・方向性制御素子ごとに指向性、方向性を制御する。
【００９６】
ここで、指向性・方向性制御部１０８は、例えば、上記（２）の処理を行うための専用の処理回路で構成することができるが、上記に限られない。例えば、表示装置１００は、制御部（図示せず）が指向性・方向性制御部１０８の役目を果たすこともできる。
【００９７】
表示装置１００は、例えば図９に示す構成を備えることによって、入力された映像信号に応じた映像を表示画面に表示させ、かつ、質感向上アプローチに係る上記（１）の処理（指向性・方向性の検出処理）および上記（２）の処理（指向性・方向性制御処理）を実現することができる。なお、本発明の実施形態に係る表示装置１００の構成が、図９に示す構成に限られないことは、言うまでもない。
【００９８】
以上のように、本発明の実施形態に係る表示装置１００は、映像信号と光線情報とに基づいて（例えば、映像信号の第１輝度値と、副映像信号の第２輝度値とに基づいて）、映像信号が示す映像における指向性や方向性が強かったであろう部分を検出する。そして、表示装置１００は、検出された映像信号が示す映像における指向性や方向性が強かったであろう部分に対して、図４に示すような指向性・方向性制御素子により屈折率を変化させることによって、映像信号が示す映像の光の方向と光の指向性とを制御する。
【００９９】
ここで、表示装置１００は、検出された映像信号が示す映像における指向性や方向性が強かったであろう部分に対して、映像信号に対する画像処理によって質感を向上させるのではなく、指向性・方向性制御素子により映像信号が示す映像の光の方向と光の指向性とを制御することによって質感を向上させる。つまり、表示装置１００が表示画面に表示させた映像をみるユーザは、映像をみる角度に応じて質感が異なる映像をみることが可能となる。よって、表示装置１００は、指向性・方向性制御素子による光の方向と光の指向性とを制御によって、映像信号が示す映像の原画像が有する実際の質感により近づけた映像を、ユーザに提供することが可能となる。
【０１００】
したがって、表示装置１００は、光の指向性と光の方向性とを制御することによって質感の表現力を向上させることができる。
【０１０１】
また、表示装置１００は、従来の技術１、従来の技術２のように複数の画素を１つとして扱わないので、解像度の低下を招く恐れはなく、また、表示装置１００は、指向性と方向性とを制御することが可能であるので、従来の技術のように、指向性と方向性のどちらか一方しか制御できないこともない。したがって、表示装置１００は、従来の表示装置よりも、より高画質化を図ることができる。
【０１０２】
また、表示装置１００は、例えば、外部装置から入力された光の方向および光の指向性を直接的に表す光線データや、ユーザ操作に応じて表示装置１００が生成した光線データを光線情報として用いることによって、指向性、方向性を制御することができる。よって、上記の場合には、表示装置１００は、映像信号が示す映像の原画像が有する実際の質感とは異なる質感を表す映像など、多様な映像をユーザに提供することもできる。また、表示装置１００は、上記の場合には、視野角の制御機能や、第三者による表示画面の覗き見防止機能を実現することが可能となる。
【０１０３】
以上、本発明の実施形態として表示装置１００を挙げて説明したが、本発明の実施形態は、かかる形態に限られず、例えば、ＣＲＴディスプレイ、有機ＥＬディスプレイ、ＦＥＤ、ＬＣＤ、ＰＤＰなどの表示装置や、ＰＣ（Personal  Computer）などのコンピュータ、携帯電話などの携帯型通信装置など、様々な機器に適用することができる。
【０１０４】
（本発明の実施形態に表示装置に係るプログラム）
本発明の実施形態に係る表示装置をコンピュータとして機能させるためのプログラムによって、光の指向性と光の方向性とを制御することを可能とし、質感の表現力を向上させることができる。
【０１０５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１０６】
例えば、上記では、コンピュータを、本発明の実施形態に係る表示装置として機能させるためのプログラム（コンピュータプログラム）が提供されることを示したが、本発明の実施形態は、さらに、上記プログラムを記憶させた記憶媒体も併せて提供することができる。
【０１０７】
上述した構成は、本発明の実施形態の一例を示すものであり、当然に、本発明の技術的範囲に属するものである。
【符号の説明】
【０１０８】
１００    表示装置
１０２    映像表示部
１０４    指向性・方向性規定部
１０６    指向性・方向性検出部
１０８    指向性・方向性制御部
１２０    表示部
１２２    行駆動部
１２４    列駆動部
１２６    電源供給部
１２８    表示制御部
【図１】
2011059439.tif 000003
【図２】
2011059439.tif 000004
【図３Ａ】
2011059439.tif 000005
【図３Ｂ】
2011059439.tif 000006
【図３Ｃ】
2011059439.tif 000007
【図３Ｄ】
2011059439.tif 000008
【図４】
2011059439.tif 000009
【図５Ａ】
2011059439.tif 000010
【図５Ｂ】
2011059439.tif 000011
【図５Ｃ】
2011059439.tif 000012
【図５Ｄ】
2011059439.tif 000013
【図６Ａ】
2011059439.tif 000014
【図６Ｂ】
2011059439.tif 000015
【図６Ｃ】
2011059439.tif 000016
【図６Ｄ】
2011059439.tif 000017
【図７】
2011059439.tif 000018
【図８】
2011059439.tif 000019
【図９】
2011059439.tif 000020